(57)【要約】【課題】  容器本体と上下二つのキャップとからなる容器において、上キャップを一方向に回転させるだけで、簡単に収納部内の内容物を容器本体内の内容液と混合させ、さらに上キャップを下キャップから取り外すことによって、容器を開蓋し、開閉操作が容易にできるようにした二種内容物混合容器を提供すること。【解決手段】  二種内容物混合容器として、内容液を収納した容器と、容器の口筒部に嵌着される下キャップと、下キャップに螺着され、内方に容器の内容液とは異なる内容物を収納した収納部を設けた上キャップと、上キャップに装着され、収納部の底部を切断する切断部材とからなる二種内容物混合容器であって、下キャップには、切断部材の回転を防止する案内溝が設けられ、上キャップを回転させることによって、下キャップとの螺着を外すとともに、切断部材により、上キャップの収納部の底部を切断し、二種内容物を混合させるようにしたことを特徴とする。【選択図】  図１
2006206165.tif 000002
【特許請求の範囲】
【請求項１】
内容液を収納した容器と、容器の口筒部に嵌着される下キャップと、下キャップに螺着され、内方に容器の内容液とは異なる内容物を収納した収納部を設けた上キャップと、上キャップに装着され、収納部の底部を切断する切断部材とからなる二種内容物混合容器であって、
下キャップには、切断部材の回転を防止する案内溝が設けられ、
上キャップを回転させることによって、下キャップとの螺着を外すとともに、切断部材により、上キャップの収納部の底部を切断し、二種内容物を混合させるようにしたことを特徴とする二種内容物混合容器。
【請求項２】
上キャップの収納部は、内筒部と底部によって形成され、底部が内筒部に、内筒部内面に沿って山部と谷部が交互に連続して円周上に形成されている弱化部を介して連設されていることを特徴とする請求項１記載の二種内容物混合容器。
【請求項３】
切断部材は、上キャップに装着する装着部と、上キャップへの装着時に上キャップの弱化部の山部下面に先端が当接するカッター刃先とを具えていることを特徴とする請求項２記載の二種内容物混合容器。
【発明の詳細な説明】
【技術分野】
【０００１】
本発明は、二種内容物混合容器、とくに液体、または粉体を収納したキャップの収納部を開封し、その内容物を容器内の内容液に混合して使用するようにした二種内容物混合容器に関するものである。
【背景技術】
【０００２】
容器本体とキャップとからなる容器において、容器本体の内容液とは種類の異なる液体、または粉体を収納した筒体と底蓋とからなる収納部材を容器本体の口筒部に取着し、キャップを回転することにより、キャップの頂壁に垂設された押棒が底蓋を押下げて筒体から外し、内容物を容器本体の内容液に混合するようにした二種内容物混合容器は、従来より知られている（例えば特許文献１参照）。
【特許文献１】実開平０３−１０５４８３号公報
【発明の開示】
【発明が解決しようとする課題】
【０００３】
しかしながら、上記特許文献１記載の従来技術では、二種内容物混合液を混合する際、収納部材の底蓋を押下げるために、キャップの下端に設けたストッパーを変形させたり、切取ったりして、キャップを下降させているため、キャップを強い力で回転させたり、或いはストッパーを外したりしなければならず、操作が簡単でないという問題があった。
【０００４】
また、二種内容物混合液を使用する際に、一度キャップを廻動し、収納部材の底蓋を押下げ、二種内容物を混合させてから、キャップを逆回転に回転し、キャップを容器本体の口筒部より開蓋しなくてはならず、手間がかかるという問題があった。
【０００５】
本発明は、上記の問題点を解決することを課題とし、容器本体と上下二つのキャップとからなる容器において、上キャップを一方向に回転させるだけで、簡単に収納部内の内容物を容器本体内の内容液と混合させ、さらに上キャップを下キャップから取り外すことによって、容器を開蓋し、開閉操作が容易にできるようにした二種内容物混合容器を提供することを目的とする。
【課題を解決するための手段】
【０００６】
本発明は、上記の課題を解決するため、二種内容物混合容器として、内容液を収納した容器と、容器の口筒部に嵌着される下キャップと、下キャップに螺着され、内方に容器の内容液とは異なる内容物を収納した収納部を設けた上キャップと、上キャップに装着され、収納部の底部を切断する切断部材とからなる二種内容物混合容器であって、下キャップには、切断部材の回転を防止する案内溝が設けられ、上キャップを回転させることによって、下キャップとの螺着を外すとともに、切断部材により、上キャップの収納部の底部を切断し、二種内容物を混合させるようにしたことを特徴とする構成を採用する。
【０００７】
上キャップの収納部の実施例として、上キャップの収納部は、内筒部と底部によって形成され、底部が内筒部に、内筒部内面に沿って山部と谷部が交互に連続して円周上に形成されている弱化部を介して連設されていることを特徴とする構成を採用する。
【０００８】
切断部材の実施例として、切断部材は、上キャップに装着する装着部と、上キャップへの装着時に上キャップの弱化部の山部下面に先端が当接するカッター刃先とを具えていることを特徴とする構成を採用する。
【発明の効果】
【０００９】
本発明の混合容器は、容器本体に嵌合する下キャップに螺着する上キャップの内方に収納部を設け、上キャップを一方向に回転させることで、下キャップとの螺合により上キャップを上昇させるとともにに、収納部の底部の弱化部を、下キャップと係合して回転不能とした切断部材により切断することによって、収納部の底部を開封して内容物を混合させるようにしているので、混合のための操作が容易に行われるようになった。
【発明を実施するための最良の形態】
【００１０】
次に、本発明の二種内容物混合容器について図面を参照して説明する。
図１において、Ａは内容液を収納した容器、Ｂは容器Ａの上部に装着される下キャップ、Ｃは下キャップＢに上下方向に摺動自在に装着され、収納部を設けた上キャップ、Ｄは上キャップＣの下部に装着され、上キャップＣの収納部の底部を切断する切断部材である。
【００１１】
図１に示すように、容器Ａは、口筒部１と、肩部２，胴部と底部とを具えており、口筒部１の外周には、下キャップＢを螺着するねじ３が設けられ、その下方にラチェット４とネックリング５が設けられている。
【００１２】
図１、２に示すように、下キャップＢは、下部外周が容器Ａの口筒部１内周に挿入される内筒１０と、内筒１０の外周に連設され、口筒部１上端に当接する上壁１１と、上壁１１の下面に垂設され、内周が口筒部１の外周に螺合する外筒部１２とを具えている。
内筒１０の上部の外周は拡径され、その外周には上キャップＣを螺着するねじ１３が設けられており、下部には、切断部材Ｄの上下動を案内する案内溝１４が複数配設されている。
案内溝１４は、内筒１０の下端より切り込まれており、上部１４ａと側部１４ｂを具えている。
【００１３】
外筒部１２の内周には、口筒部１のねじ３と螺合するねじ１５と、下端部に口筒部１のラチェット４と係合する係合凹部１６が設けられ、外周には、口筒部１のネックリング５の周縁上面に、下端が当接する外周壁１７がフランジ１８を介して連設されている。
【００１４】
図１、３に示すように、上キャップＣは、頂壁２０と、頂壁２０の中央部に穿設された開口部２１と、開口部２１の内周縁から垂設された内筒部２２と、内筒部２２の下部に連設され、底部を形成する底部材２３とを具えており、内筒部２２と底部材２３により、容器Ａ収納する内容液とは異なる内容物を収納する収納部Ｃ１が形成されている。
【００１５】
頂壁２０の下面には、下キャップＢの内筒１０のねじ１３と螺合するねじ２４を設けた螺着筒２５が垂設され、頂壁２０の外周縁には、外筒部２６が垂設されている。
開口部２１には、収納部Ｃ１内を閉蓋する蓋体２７が嵌合されている。
内筒部２２の下端部は、外周が縮径され、切断部材Ｄが取着される係合部２８が設けられている。
【００１６】
底部材２３は、上部周壁３０と下部周壁３１、底壁３２とを具え、上部周壁３０は、弱化部３３を介して内筒部２２下部に連設されている。
弱化部３３は、図３に示すように、内筒部２２に沿って円周上に山部３３ａと谷部３３ｂが交互に連続するよう形成されている。
下部周壁３１の外周には、切断部材Ｄを装着する係合凹部３４が配設されている。
【００１７】
外筒部２６下端には、等間隔をおいて配設された複数の連結片３５を介して、下キャップＢの上壁１１周縁端に係合する係合部３６を内周面に設けた封緘帯３７が連設されている。
【００１８】
図１、４に示すように、切断部材Ｄは、上キャップＣの内筒部２２内周に挿入される内筒部４０と、内筒部４０下端に連設し、内筒部２２下端に上面が当接するフランジ４１と、フランジ４１外周縁に立設され、内筒部２２外周の係合部２８に内周が係合する外筒部４２とを具えている。
【００１９】
内筒部４０内周には、上キャップＣの底部材２３に装着する係合リング４３が突設され、係合リング４３の先端部には、内方に向かって下方に傾斜する傾斜部４４が形成されている。
傾斜部４４の先端は、底部材２３の下部周壁３１の係合凹部３４に係合するようになっている。
内筒部４０上端には、切断部材Ｄを上キャップＣに装着した際に、上キャップＣの弱化部３３の山部３３ａ下面に、それぞれ先端が当接するカッター刃先４５が配設されている。
【００２０】
外筒部４２外周には、下キャップＢの内筒１０下部に配設された案内溝１４に係合し、切断部材Ｄの回転を防ぐストッパー部４６が配設されている。
【００２１】
次に、本発明の混合容器の使用態様と作用効果について説明する。
まず始めに、混合容器の組立方法について説明する。
上キャップＣの収納部Ｃ１内に、開口部２１より、液体、または粉末等、容器Ａに収納する内容液とは異なる内容物を入れ、開口部２１に、蓋体２７を取着し閉蓋する。
【００２２】
次いで、上キャップＣの内筒部２２を下キャップＢの内筒１０の上方より挿入し、上キャップＣの螺着筒２５を下キャップＢの内筒１０上部のねじ１３に螺着させる。
その際、上キャップＣの外筒部２６下端に連設された封緘帯３７の下端が、下キャップＢの上壁１１の周縁端上面を乗り越え、係合部３６と上壁１１が係合する。
【００２３】
次いで、上キャップＣの内筒部２２と底部材２３の下部周壁３１に、下方より切断部材Ｄを装着する。
その際、切断部材Ｄの係合リング４３の傾斜部４４の先端が、上キャップＣの底部材２３の底壁３２底面周縁に当接し、弾性により変形しつつ下部周壁３１外周を摺動し、係合凹部３４に嵌合され、切断部材Ｄが、上キャップＣの底部材２３から抜け落ちることを防止するようになっている。
【００２４】
また、切断部材Ｄの内筒部４０と外筒部４２との間に、上キャップＣの内筒部２２下端の係合部２８が挿入され、切断部材Ｄのフランジ４１に当接するとともに、切断部材Ｄの外筒部４２に設けられたストッパー部４６が、下キャップＢの案内溝１４に挿入される。
【００２５】
最後に、容器Ａ内に内容液が入れられ、上キャップＣと切断部材Ｄを取着した下キャップＢを容器Ａの口筒部１に螺着し、封緘する。
その際、下キャップＢの外筒部１２のねじ１５が容器Ａの口筒部１のねじ３と螺合するとともに、外筒部１２の嵌合凹部１６と口筒部１のラチェット４とが嵌合することで、下キャップＢと容器Ａとの螺合が外れることを阻止している。
以上のようにして、図５に示すよう、二種類の内容物を収納した混合容器が得られる。
【００２６】
混合容器の使用にあたっては、容器を立て、上キャップＣを回転させると、上キャップＣと下キャップＢとの螺合により上キャップＣは、下キャップＢより上昇していく。
まず始めに、上キャップＣの封緘帯３７は、下キャップＢの上壁１１周縁部と係合しているため、連結片３５が切断され、封緘帯３７だけが下キャップＢに残ることとなる。
その際、上キャップＣを回転させても、上キャップＣの下部に装着された切断部材Ｄのストッパー部４６が下キャップＢの案内溝１４の側部１４ｂに当接しているので、切断部材Ｄの回転が阻止される。
【００２７】
さらに、上キャップを回転させると、図６に示すように、切断部材Ｄの内筒部４０上端に設けられたカッター刃先４５が、上キャップＣの内筒部２２と底部材２３を連設している弱化部３３を、山部３３ａから谷部３３ｂへ、次いで、谷部３３ｂから山部３３ａへと切断して行き、最後には、弱化部３３がそれぞれの山部３３ａの頂部を残し切断される。
【００２８】
さらに、上キャップＣを回転させ、上キャップＣを下キャップＢより上昇させていくと、今度は、図７に示すように、切断部材Ｄのストッパー部４６が下キャップＢの案内溝１４の上部１４ａに当接し、切断部材Ｄの上昇が阻止される。
【００２９】
上キャップＣがさらに上昇すると、切断部材Ｄの上昇が阻止されているために、上キャップＣの底部材２３が切断部材Ｄにより下方に引っ張られ、弱化部３３の山部３３ａの頂部も切断され、図８に示すように、切断部材Ｄと上キャップＣの底部材２３が下方に落ちることとなる。
このことにより、上キャップＣの収納部Ｃ１内に収納された内容物を容器Ａ内に落下させ、二種類の内容物を混合させることができる。
【００３０】
最後に、上キャップＣを回転させて下キャップＢとの螺合を外すと、上キャップＣを下キャップＢより離脱させ、容器Ａを開蓋することができる。
容器Ａを傾けることで、下キャップＢの内筒１０から容器Ａ内の混合液を注出することができる。
【００３１】
混合液使用時の混合容器の再封にあたっては、下キャップＢの上方より上キャップＣを被せ、上キャップＣを回転させると、下キャップＢと上キャップＣは再度螺合され、容器Ａ内を再封することができる。
【００３２】
本発明の混合容器は、上キャップＣを回転させ、下キャップＢより上昇することで二種類の内容物を混合させることができるようになっており、上キャップＣの上昇に伴い、上キャップＣの外筒部２６下端と封緘帯３７をつなぐ連結片３５が切断され、上キャップＣを回転した跡が残るので、流通過程や商品の陳列時の上キャップＣの回転を阻止することができる。
【００３３】
本実施形態では、カッター刃先４５は、内筒部４０上端に二つだけ配設しているが、上キャップＣの弱化部３３の山部３３ａと谷部３３ｂの数を増やし、それに応じて、山部３３ａの位置に合わせて配設してもよく、また、全ての山部３３ａの下面に配設する必要もなく、カッター刃先４５の数、位置は、本実施形態に限定されない。
【００３４】
本実施形態では、容器と下キャップを螺合と回転止めのためのラチェット機構を採用したが、下キャップが容器に対して回転しなければよいので、例えば、下キャップと容器にそれぞれ係合突条または凹溝を設け、アンダーカット嵌合させることで取着し、下キャップと容器の係合部のそれぞれに対向する回転止めを配設し、回転させないという構成にしてもよく、容器に対する下キャップの取着方法や回転止め方法は、上記実施形態に限定されない。
【産業上の利用可能性】
【００３５】
本発明の混合容器は、容器本体に嵌合する下キャップに螺着する上キャップの内方に収納部を設け、上キャップを一方向に回転させることによって、切断部材により収納部の底部を開封して内容物を混合させることができ、混合容器として、操作性が向上した。
したがって、本発明の混合容器は、薬品、飲食料、化粧品、その他の混合容器として、広く利用することができる。
【図面の簡単な説明】
【００３６】
【図１】本発明混合容器の一部断面立面図である。
【図２】下キャップの一部断面立面図である。
【図３】上キャップの説明図で、（ａ）は一部断面立面図、（ｂ）は底面図である。
【図４】切断部材の説明図で、（ａ）は一部断面立面図、（ｂ）は上面図、（ｃ）は斜視図である。
【図５】上キャップ収納部に、内容物を収納した混合容器の説明図である。
【図６】内容物混合のために、上キャップを回転させた時の説明図である。
【図７】切断部材のストパー部上端が、下キャップの案内溝の上部に当接した時の説明図である。
【図８】上キャップの底部材と切断部材との落下時の説明図である。
【符号の説明】
【００３７】
Ａ          容器    
Ｂ          下キャップ
Ｃ          上キャップ
Ｃ１        収納部
Ｄ          切断部材    
１          口筒部
２          肩部
３、１３、１５、２４  ねじ
４          ラチェット
５          ネックリング
１０        内筒
１１        上壁
１２、２６、４２  外筒部
１４        案内溝
１４ａ      上部
１４ｂ      側部
１６、３４  係合凹部
１７        外周壁
１８、４１  フランジ
２０        頂壁
２１        開口部
２２、４０  内筒部
２３        底部材
２５        螺着筒
２７        蓋体
２８        係合部
３０        上部周壁
３１        下部周壁
３２        底壁
３３        弱化部
３３ａ      山部
３３ｂ      谷部
３５        連結片
３６        係合部
３７        封緘帯
４３        係合リング
４４        傾斜部
４５        カッター刃先
４６        ストッパー部
【図１】
2006206165.tif 000003
【図２】
2006206165.tif 000004
【図３】
2006206165.tif 000005
【図４】
2006206165.tif 000006
【図５】
2006206165.tif 000007
【図６】
2006206165.tif 000008
【図７】
2006206165.tif 000009
【図８】
2006206165.tif 000010